(57)【要約】【課題】タブの弾性接触片側への過度の変位を確実に防止する。【解決手段】前方から相手側端子ＢのタブＢａを挿入させる筒状嵌合部１０には、基板１１の側縁部を受け板１２側へ段差状に突出させた形態であって、受け板１２と略直角な側板１３に連なる規制部１４を形成し、規制部１４にタブＢａを当接させることで、タブＢａの弾性接触片１９側への過度の変位を規制する。規制部１４は、基板１１と側板１３の両板に連なった形態なので、片持ち支持状のものに比べて剛性が高く、タブＢａの弾性接触片１９側への過度の変位を確実に規制することができる。【選択図】図１
2008117650.tif 000002
【特許請求の範囲】
【請求項１】
前方から相手側端子のタブを挿入させる筒状嵌合部を有し、
前記筒状嵌合部は、互いに略平行をなす基板と受け板とを有し、
前記筒状嵌合部内には弾性接触片が収容され、
前記タブが前記筒状嵌合部に挿入したときには、前記弾性接触片が、前記基板側へ弾性的に変位しつつ前記受け板との間で前記タブを弾性的に挟み付けるようになっている端子金具において、
前記筒状嵌合部には、前記基板の側縁部を前記受け板側へ段差状に突出させた形態であって、前記受け板と略直角な側板に連なる規制部が形成され、
前記規制部に前記タブを当接させることで、前記タブの前記弾性接触片側への過度の変位が規制されるようになっていることを特徴とする端子金具。
【請求項２】
前記規制部が、前記筒状嵌合部の前端から後端に亘って連続して形成されていることを特徴とする請求項１に記載の端子金具。
【請求項３】
前記筒状嵌合部のうち前記弾性接触片と対応する部分の幅寸法が、前記筒状嵌合部のうち前記タブの挿入空間と対応する部分の幅寸法よりも小さく、
前記筒状嵌合部のうち前記弾性接触片と対応する幅狭部の後端に連なる電線接続部の幅寸法が、前記筒状嵌合部のうち前記タブの挿入空間と対応する幅広部の幅寸法よりも小さくなっていることを特徴とする請求項１または請求項２に記載の端子金具。
【請求項４】
前記受け板には、その一部を前記弾性接触片側へ叩き出すことで、前記タブと接触可能な接触面が形成され、
前記接触面は、前端から後端に向かって幅寸法が次第に小さくなる略三角形状をなしていることを特徴とする請求項１ないし請求項３のいずれかに記載の端子金具。
【発明の詳細な説明】
【技術分野】
【０００１】
本発明は、端子金具に関するものである。
【背景技術】
【０００２】
特許文献１には、相手側端子のタブを挿入させる筒状嵌合部を有し、筒状嵌合部内に設けた弾性接触片と筒状嵌合部を構成する受け板との間でタブを弾性的に挟んで接続状態とする端子金具について記載されている。  
この端子金具には、筒状嵌合部を構成する側板を部分的に切り起こすことにより、タブが弾性接触片側へ過剰に変位することを規制する規制部が形成されている。
【特許文献１】特開２００５−２５１７４１号公報
【発明の開示】
【発明が解決しようとする課題】
【０００３】
上記従来の端子金具では、規制部が側板から片持ち状に突出した形態であるため、規制部が変形し易いという事情がある。そのため、タブの変位を規制する機能の信頼性に優れた端子金具の提供が求められていた。  
本発明は上記のような事情に基づいて完成されたものであって、タブの弾性接触片側への過度の変位を確実に防止することを目的とする。
【課題を解決するための手段】
【０００４】
上記の目的を達成するための手段として、請求項１の発明は、前方から相手側端子のタブを挿入させる筒状嵌合部を有し、前記筒状嵌合部は、互いに略平行をなす基板と受け板とを有し、前記筒状嵌合部内には弾性接触片が収容され、前記タブが前記筒状嵌合部に挿入したときには、前記弾性接触片が、前記基板側へ弾性的に変位しつつ前記受け板との間で前記タブを弾性的に挟み付けるようになっている端子金具において、前記筒状嵌合部には、前記基板の側縁部を前記受け板側へ段差状に突出させた形態であって、前記受け板と略直角な側板に連なる規制部が形成され、前記規制部に前記タブを当接させることで、前記タブの前記弾性接触片側への過度の変位が規制されるようになっているところに特徴を有する。
【０００５】
請求項２の発明は、請求項１に記載のものにおいて、前記規制部が、前記筒状嵌合部の前端から後端に亘って連続して形成されているところに特徴を有する。
【０００６】
請求項３の発明は、請求項１または請求項２に記載のものにおいて、前記筒状嵌合部のうち前記弾性接触片と対応する部分の幅寸法が、前記筒状嵌合部のうち前記タブの挿入空間と対応する部分の幅寸法よりも小さく、前記筒状嵌合部のうち前記弾性接触片と対応する幅狭部の後端に連なる電線接続部の幅寸法が、前記筒状嵌合部のうち前記タブの挿入空間と対応する幅広部の幅寸法よりも小さくなっているところに特徴を有する。
【０００７】
請求項４の発明は、請求項１ないし請求項３のいずれかに記載のものにおいて、前記受け板には、その一部を前記弾性接触片側へ叩き出すことで、前記タブと接触可能な接触面が形成され、前記接触面は、前端から後端に向かって幅寸法が次第に小さくなる略三角形状をなしているところに特徴を有する。
【発明の効果】
【０００８】
＜請求項１の発明＞
規制部は、基板と側板の両板に連なった形態なので、片持ち支持状のものに比べて剛性が高く、タブの弾性接触片側への過度の変位を確実に規制することができる。
【０００９】
＜請求項２の発明＞
規制部は、タブが筒状嵌合部に挿入するときに、そのタブをガイドする機能を発揮する。また、規制部は、タブにおける筒状嵌合部内への挿入部分の全体と対応するので、タブの変位規制機能の信頼性が高い。
【００１０】
＜請求項３の発明＞
端子金具が挿入されるハウジングのキャビティの断面形状を筒状嵌合部と同じ形状にすることで、端子金具の不正な姿勢での挿入を防止できる。
【００１１】
＜請求項４の発明＞
タブが筒状嵌合部に挿入する過程では、タブの挿入方向先端側の端縁が接触面を擦っていくのであるが、本発明では、接触面の幅寸法が前端から後端に向かって次第に小さくなるようにしたので、タブの挿入が進むのに伴い、接触面に対するタブの先端縁の接触幅が次第に狭くなり、タブと接触面との接触抵抗、即ちタブの挿入抵抗が低減されていく。
【発明を実施するための最良の形態】
【００１２】
＜実施形態１＞
以下、本発明を具体化した実施形態１を図１ないし図５を参照して説明する。本実施形態の端子金具Ａは、雌形と称されるものであって、所定の形状に打ち抜いた金属板材に曲げ加工や叩き出し加工等を施すことにより、全体として前後方向に細長い形状に成型されている。端子金具Ａの前端部には筒状嵌合部１０が形成され、後端部には電線接続部２４が形成され、筒状嵌合部１０と電線接続部２４とは連結部２９を介して連なっている。  
この端子金具Ａの接続相手である相手側端子Ｂは、雄形と称されるものであって、先端部には、前後方向に細長く、水平な板状をなすタブＢａが形成されている。
【００１３】
筒状嵌合部１０は、前後方向に貫通する形態であって、底面となる水平な基板１１と、上面となる水平な受け板１２と、基板１１及び側板１３と略直角な左右一対の側板１３とを備えて構成される。基板１１の左右両端縁には、上方（受け板１２側）へ段差状に突出された形態であって、側板１３に連なる一対の規制部１４が、左右対称に形成されている。規制部１４は、正面（筒状嵌合部１０に対するタブＢａの挿入方向）から見ると、略Ｌ字形に屈曲された板状をなし、基板１１の左右両側縁から受け板１２側へ略直角に立ち上がる立上り部１５と、立上り部１５の上端から外側方（弾性接触片１９とは反対側）へ略直角に延出する水平な受け部１６とからなり、受け部１６の外側縁は、側板１３の下端に対して略直角に連なっている。かかる規制部１４は、筒状嵌合部１０の前端から後端に亘って連続して形成されている。筒状嵌合部１０のうち、規制部１４の受け部１６を境界として基板１１側（下側）の部分は、受け板１２と左右両側板１３によって構成される幅狭部１７となっており、受け板１２側（上側）の部分（左右両立上り部１５と基板１１とによって構成る部分）は、幅狭部１７よりも幅寸法の大きい幅広部１８となっている。
【００１４】
筒状嵌合部１０内には、その基板１１の前端から後方へ折り返されて片持ち状に延出する形態の弾性接触片１９が収容されている。弾性接触片１９は、幅狭部１７内に配置され、換言すると、左右両規制部１４の立上り部１５の間に挟まれるように位置している。また、弾性接触片１９の最も高い位置には、その上面を上方へドーム状に突出するように叩き出しによって接点部２０が形成されている。かかる弾性接触片１９は、その前端を支点として接点部２０が下方へ変位するように弾性撓みし得るようになっている。また、弾性接触片１９が弾性撓みしていない自由状態では、接点部２０は規制部１４の受け部１６の上面よりも上方に位置している。
【００１５】
また、幅広部１８の内部空間は、タブＢａを挿入させるための挿入空間２１となっている。弾性接触片１９が自由状態（タブＢａが筒状嵌合部１０に挿入されない状態）にあるときには、接点部２０が挿入空間２１内に位置している。また、挿入空間２１内には、受け板１２の一部を受け板１２と略平行に下方（弾性接触片１９側）へ叩き出すことによって接触部２２が形成され、接触部２２の下面（弾性接触片１９との対向面）は水平な平坦状をなす接触面２３となっている。接触面２３の平面形状は三角形をなしており、接触面２３の幅寸法は、前端から後端に向かって次第に小さくなっている。自由状態の弾性接触片１９の接点部２０と接触面２３との上下間隔は、タブＢａの厚さ寸法（上下寸法）よりも少し小さい寸法とされている。また、挿入空間２１の幅寸法は、タブＢａの幅寸法よりも少し大きい。したがって、左右両規制部１４の立上り部１５の間隔（幅狭部１７の幅寸法）と弾性接触片１９の幅寸法は、いずれも、タブＢａの幅寸法よりも小さい。
【００１６】
電線接続部２４は、周知形状のものであって、前後方向に細長い底板２５の左右両側縁から一対のカシメ片２６を立ち上げたオープンバレル状をなし、電線接続部２４の略前半部分はワイヤバレル部２７となっており、略後半部分はインシュレーションバレル部２８となっている。ワイヤバレル部２７には、図示しない電線の導体の前端部が周知の接続手段である圧着により導通可能に固着され、インシュレーションバレル部２８には電線の絶縁被覆の前端部が圧着により固着されている。電線を固着した状態における電線接続部２４の幅寸法は、筒状嵌合部１０の幅狭部１７よりも小さい寸法となっている。
【００１７】
連結部２９は、筒状嵌合部１０の基板１１の後端に連なる底板３０と、この底板３０の左右両側縁から一対の連結板３１を立ち上げた形態である。連結部２９の底板３０の後端は電線接続部２４の底板２５の前端に連なり、連結板３１の前端は規制部１４の後端に連なり、連結板３１の後端はカシメ片２６の前端に連なっている。かかる連結部２９の幅寸法は、前端から後端に向かって次第に小さくなっていて、前端において幅寸法が最大となるが、この連結部２９の最大幅は、筒状嵌合部１０の幅狭部１７の幅寸法と同じ寸法となっている。
【００１８】
次に、本実施形態の作用について説明する。  
本実施形態の端子金具Ａを相手側端子Ｂに接続する際には、前方から筒状嵌合部１０内にタブＢａを挿入させる。このとき、規制部１４が筒状嵌合部１０の前端から後端に亘って連続して形成されているので、タブＢａは、挿入開始時に弾性接触片１９に突き当たることなく、挿入空間２１内に確実に挿入されるように案内される。
【００１９】
また、タブＢａが挿入する過程では、タブＢａの先端の上縁が接触面２３に摺接し、その摺接位置は、タブＢａの挿入が進むのに伴い、接触面２３の前端から後端側へ移動していく。ここで、接触面２３の幅は前端から後端に向かって次第に狭くなるので、タブＢａの挿入の進行に伴って、接触面２３に対するタブＢａの先端縁の接触幅が次第に狭くなり、タブＢａと接触面２３との接触抵抗、即ちタブＢａの挿入抵抗が低減されていく。
【００２０】
タブＢａの挿入が更に進むと、タブＢａの下面が接点部２０に当接し、それ以降は、タブＢａの挿入が進むのに伴って弾性接触片１９が下方へ弾性撓みし、弾性接触片１９には弾性復元力が蓄勢されていく。そして、タブＢａが正規位置まで挿入された状態では、弾性接触片１９の弾性復元力により、タブＢａの上面が接触面２３に対して面接触状態に当接するとともに、接点部２０に対してタブＢａの下面が点接触状態で当接し、タブＢａは弾性接触片１９と接触部２２（受け板１２）との間で弾性的に板厚方向に挟み付けられ、もって、端子金具Ａと相手側端子Ｂとが導通可能に接続される。
【００２１】
タブＢａが筒状嵌合部１０に挿入される過程またはタブＢａが筒状嵌合部１０に正規挿入された状態において、振動や衝撃を受け、タブＢａに対し、筒状嵌合部１０に対して下方（弾性接触片１９側）へ相対変位させる力が付与された場合には、タブＢａが僅かに下方へ変位したところで、規制部１４の受け部１６の上面に当接し、それ以上の下方への相対変位が規制される。これにより、タブＢａに押されたことが原因となって弾性接触片１９がその弾性限度超えて過度に変形することが防止される。
【００２２】
本実施形態では、規制部１４を、基板１１と側板１３の両板に連なる両端支持形態としたので、片持ち支持状のものに比べて剛性が高く、タブＢａの弾性接触片１９側への過度の変位を確実に規制することができる。  
また、規制部１４は、筒状嵌合部１０の前端から後端に亘って連続して形成されていて、タブＢａにおける筒状嵌合部１０内への挿入部分の全体と対応するので、タブＢａの変位規制の機能の信頼性が高い。  
また、筒状嵌合部１０のうち弾性接触片１９と対応する幅狭部１７の幅寸法を、筒状嵌合部１０のうちタブＢａの挿入空間２１と対応する幅広部１８の幅寸法よりも小さくした上で、更に、幅狭部１７の後端に連なる連結部２９と電線接続部２４の幅寸法を、幅広部１８の幅寸法よりも小さくしたので、端子金具Ａが挿入されるハウジングＨのキャビティＣの断面形状を筒状嵌合部１０と同じ形状にすることで、端子金具Ａの不正な姿勢での挿入が防止されている。
【００２３】
＜他の実施形態＞
本発明は上記記述及び図面によって説明した実施形態に限定されるものではなく、例えば次のような実施態様も本発明の技術的範囲に含まれる。  
（１）本発明によれば、規制部は、筒状嵌合部の全長に亘る形態に限らず、筒状嵌合部の前端部のみ、前端部から中央部分に亘る範囲、中央部分のみ、中央部分から後端部に亘る範囲、後端部のみに形成されていてもよい。  
（２）本発明によれば、筒状嵌合部の基板と側板を二重板構造とすることで、筒状嵌合部のうち規制部と対応する部分の幅寸法は、タブの挿入空間と対応する幅寸法と同じであってもよい。  
（３）本発明によれば、接触面は、前端から後端に向かって幅寸法が次第に小さくなる略三角形状に限らず、前端から後端に向かって幅寸法が段差状に小さくなる形状や、前端から後端に向かって幅寸法が大きくなる形状や、幅寸法が前端から後端に亘って一定である形状であってもよい。  
（４）上記実施形態では規制部を左右一対形成したが、本発明によれば、左右いずれか一方のみに規制部を形成してもよい。
【図面の簡単な説明】
【００２４】
【図１】実施形態１において筒状嵌合部にタブを挿入した状態を示す正面図
【図２】正面図
【図３】平面図
【図４】底面図
【図５】断面図
【符号の説明】
【００２５】
Ａ…端子金具
Ｂ…相手側端子
Ｂａ…タブ
Ｃ…キャビティ
Ｈ…ハウジング
１０…筒状嵌合部
１１…基板
１２…受け板
１３…側板
１４…規制部
１７…幅狭部
１８…幅広部
１９…弾性接触片
２１…挿入空間
２４…電線接続部
【図１】
2008117650.tif 000003
【図２】
2008117650.tif 000004
【図３】
2008117650.tif 000005
【図４】
2008117650.tif 000006
【図５】
2008117650.tif 000007